(57)【要約】【課題】従来は、デジタル放送の映像信号と音声信号の不連続部を検出するものであったが、その不連続点の検出を過去の照合と照らし合わせることで今後に反映するもので、検出精度については詳細な検討が行われていない。【解決手段】本発明は、上記課題を鑑み、番組の特徴に応じた境界判定と、境界検出後のデータ記録方法について言及するものであり、更に、検出結果と記録データをデジタル放送受信機の使用状態によって、ＣＭの処理を動的に制御可能なデジタル放送受信機を提供するものである。この構成により、本発明では、受信機で、記録コンテンツの編集を簡単な構成で実現できる。更に、備えている蓄積デバイスの使用状況によって、記録できないなどの想定を事前にカバーする効果を有する受信装置を提供できる。【選択図】図１
2011229047.tif 000002
【特許請求の範囲】
【請求項１】
デジタル放送を受信し、ユーザに選局された番組を、外部記録媒体に記録するデジタル放送受信装置であり、圧縮されたデジタル映像データと、デジタル音声データを分離するＡＶデータ分離部と、またＡＶデータ分離部では映像データと音声データのみを抽出し、音声データから番組/ＣＭの境界判定を行う番組・ＣＭ判定部と、判定部で判定した情報を元に、有用と無用のデータを識別し、無用なデータを削除もしくは低圧縮化などの処理を施す録画データ出力部と、外部蓄積デバイスを有し、放送コンテンツの録画データ量を調整することを特徴とする、デジタル放送受信機。
【請求項２】
前記番組・ＣＭ判定部は、蓄積デバイスの残容量を受理し、残容量に応じて、判定部の番組/ＣＭの削除もしくは高圧縮化、番組／ＣＭの判定強度を調整することを可能とする、上記請求項１のデジタル放送受信機。
【請求項３】
録画データ出力部は、音声データの番組／ＣＭ判定回路からの判定情報を録画データ出力部に転送し、録画データ出力部では音声の境界点から映像信号の境界を算出し、映像データの有用・無用データを音声と同期して判別・編集することを更に特徴とする、上記請求項１記載のデジタル放送受信機。
【請求項４】
前記デジタル放送受信機は、更に映像デコード部と映像出力部と、音声デコーダ部と音声出力部と映像出力端子と、音声出力端子を有し、前記１〜３記載の、有効データのみをつないだデジタル放送データから連続した番組を再生することを特徴とするデジタル放送受信機。
【発明の詳細な説明】
【技術分野】
【０００１】
本発明は、デジタル放送を受信し、放送のコンテンツをデジタルで記録・再生を行うデジタル放送受信機の記録再生方法に関するものである。更に詳述すると、デジタル放送の番組の特徴からユーザの意図するコンテンツに編集して記録するデジタル放送受信機の制御方法に関するものである。
【背景技術】
【０００２】
近年、テレビ放送がデジタル化され、世界各地でデジタル放送による、高品位、多チャンネル、視聴形態に応じたサービスが実現されている。また、デジタル放送は、受信する受信装置でコピー回数等の素材に応じた方式により、製作者の著作権を保護しながら、コピー・記録することも可能となっている。こうした記録可能な放送が主流の近年では、記録可能なデジタル放送受信装置のニーズも年々高まっている。
【０００３】
そうした中、記録する番組を好きな時間に視聴する際には、より簡単・効率よく視聴することが多く期待され、高速再生や、好きなポイントからの再生、前回視聴した続きから再生するなどの付加価値が高まっている。こうした付加価値の中で、番組だけを続けて視聴したい要求もあり、番組とＣＭの番組を区別する方法も考案されている（例えば、特許文献１）。
【先行技術文献】
【特許文献】
【０００４】
【特許文献１】特開２００２−１４２１８３号公報
【発明の概要】
【発明が解決しようとする課題】
【０００５】
上記特許文献１ではデジタル放送の映像信号と音声信号の不連続部を検出するものであったが、番組内においても、映像信号や音声信号が不連続となる場合には、誤った検出を行ってしまう可能性があり、検出精度の向上が課題となっていた。その不連続点の検出を過去の照合と照らし合わせることで今後に反映するもので検出精度については言及されていない。
【課題を解決するための手段】
【０００６】
本発明は、上記課題を鑑み、番組の特徴に応じた境界判定と、境界検出後のデータ記録方法について言及するものであり、更に、検出結果と記録データをデジタル放送受信機の使用状態によって、ＣＭの処理を動的に制御可能なデジタル放送受信機を提供するものである。
【発明の効果】
【０００７】
本発明により、受信機で、記録コンテンツの編集を簡単な構成で実現できる。更に、備えている蓄積デバイスの使用状況によって、記録できないなどの想定を事前にカバーする効果を有する受信装置を提供できる。
【図面の簡単な説明】
【０００８】
【図１】本発明の実施の形態１におけるデジタル放送受信記録再生装置１００の構成図
【図２】本発明の実施の形態２におけるデジタル放送受信記録再生装置２００の構成図
【図３】本発明の実施の形態２における記録時の動作方法を示すフローチャート
【発明を実施するための最良の形態】
【０００９】
本発明の具体的な実施の形態について以下に示す。
（実施の形態１）
図１は、本発明のデジタル放送受信記録再生装置100の構成図である。１はデジタル放送波を受信するデジタルチューナ、２はチューナ出力から出力されるトランスポートストリームパケット（以下ＴＳパケットと記載）からユーザ設定された番組情報を元に映像データ・音声データを各々分離するＡＶデータ抽出部、３はＡＶデータ抽出部２で抽出した音声データから番組とＣＭの境界を指示された判定条件により判定する、番組／ＣＭ判定部、４はＡＶデータから３での判定情報により出力判定する録画データ出力部、５は記録データを一部保存する記録メモリ、６は記録メモリのデータを蓄積デバイスへ転送するためのインターフェース、７は受信機に内蔵する蓄積データデバイス、８は、蓄積デバイスから、蓄積デバイス６を介して抽出したデータを一時保存する再生メモリ、９は２のＡＶデータ分離部から分離された映像データを映像フォーマットにデコードする映像デコード部、１０は映像フォーマットに変換された映像データをフォーマットに応じたレートで出力する映像出力部、１１は受信機の映像出力端子、１２は２のＡＶデータ分離部から分離された音声ストリームを音声データにデコードする音声デコード部、１３は音声データをフォーマットに応じたレートで出力する音声出力部、１２は受信機の音声出力端子である。      
【００１０】
また２０は、本発明のデジタル放送記録再生装置１００の制御部であり、この制御部２０は各処理部１〜６、７〜１０、１２〜１３を制御する制御部である（制御線は図１では記載なし）。
以下、図１を使って本発明の詳細な説明を行う。デジタル放送受信記録再生装置１００では、屋外ユニットからのデジタル放送波をデジタルチューナ１で受信すると、復調、誤り訂正処理を施し、TSパケットの構造で出力する。視聴選択されたＴＳパケットはＡＶデータ分離部２に入力され、一連のＴＳパケットの中からＣＰＵ２０から入力された、映像パケットＩＤ（以下ＶＰＩＤと略す）、と音声パケットＩＤ（以下ＡＰＩＤと略す）を元に映像データ、音声データを分離し、映像データを映像デコード部９へ、音声データを音声デコード部１０へ出力する。またＡＶデータ分離部では、第3の出力として、映像データと音声データや番組判別に必要な情報のみを抽出して番組・ＣＭ判定部を転送する。
番組・ＣＭ判定部３では音声データストリーム中の無音データ部の連続量を検出する。
詳述すると、音声ＴＳデータの１つ以上の音声フレームの先頭に付与される表示タイムスタンプ（以下ＡＰＴＳ略す）を都度記憶しておき、さらに無音データの閾値以下のデータが発生したパケットを含むＡＰＴＳ先頭を記憶する。この無音データが無音データ以外（閾値以上）の発生するデータ数と、最終のＡＰＴＳを記憶しておき、このＡＰＴＳ先頭、最終、データ連続バイト数の情報を録画データ出力部４へ転送する。
次に録画データ出力部４の処理について説明する。録画データ出力部には、ＡＶパケットデータ、番組・ＣＭ判定部からの上述した判定情報、ＣＰＵ２０からの処理判別パラメータが入力される。先ず、録画データ出力部は、ＡＶパケットデータから、音声データのＡＰＴＳに最も近い映像データのＰＴＳ（以下ＶＰＴＳと略す）を抽出し、そこからのデータについてはデータ転送を止める。同じ様に音声データの先頭ＡＰＴＳデータを検知して、ＡＰＴＳデータからのデータ転送を止める。次に、ＡＰＴＳ最終データに最も近い、ＶＰＴＳ値を算出して、録画データ出力部の映像データ転送停止をクリアし、以後のデータ転送を行う。同様に音声データについても、ＡＰＴＳ最終データを検知し、録画データ出力部の音声データ転送停止をクリアし、以後の音声データ転送を行う。この部分的に、切り捨てられたＡＶデータは記録メモリ５に一旦格納され、蓄積データに応じた著作権処理（ここでは詳細せず）を施し、記録コンテンツとして、格納される。
【００１１】
以上の処理により、番組・ＣＭの境界判別を音声データを元に生成し、そのデータと関連するＶｉｄｅｏデータを連動編集することで、必要な情報のみを番組から抽出することが可能となる。
次に、上記で編集された時間的に不連続なＡＶデータから、コンテンツを再生する手法について図１を用いて説明する。但し、この手法は、一例であり、この手法でなくとも再生する方法は存在する。
【００１２】
編集された記録コンテンツは、記録同様蓄積デバイスＩ／Ｆ６を介して、蓄積デバイスから読み出し、再生メモリ８に一時格納される。格納されたデータは、ＡＶデータ分離部２に出力される。ＡＶデータ分離部２で、映像データと音声データの多重分離処理が行われ、映像データは映像デコード部９へ転送される。音声データは音声デコーダ部１２へ転送される。
【００１３】
通常の番組では、映像と音声については、各々出力する時間を合わす指標となる出力時間が、ストリーム内部に埋め込まれており、映像ストリーム、音声ストリーム共に埋め込まれている。まず映像ストリームでは、この時間情報を抽出し、時間情報等以外の実ビデオストリームが映像デコード部に転送されデコードされ、１枚のフレームを順次生成する。
生成したビデオフレームに付随するＶＰＴＳを基準のタイミングとして、同時刻に独立にデコードしている、音声ストリームのデコードされた時間の状態を検知する。ここで、映像データより、音声データについているＰＴＳと現時刻が遅れている場合、デコードをやめ、データの読み出しのみを行い、映像データの出力に追いつくようにする。反対に、音声データが映像データより早い場合は、音声の読み出しを一時停止し、映像側の生成が追いつくまで処理を待たせる。以上のようにすることで、映像と音声の開始タイミングの一致がとることが可能となり、同一受信機で録画されたデータは、その後、このタイミングで出力するのが一般的である。
【００１４】
本発明のＡＶデータは、この時間データが編集除去した時間分、不連続になる箇所が存在する。この場合についても、上記Ｖｉｄｅｏ側を基準に合わせた場合には、関係が保たれるため、境界で、一時不連続境界が発生するものの、正常に表示できる。
【００１５】
以上のように、本実施の形態１では、番組の特定特徴に応じて記録データのＯＮ・ＯＦＦが部分的に記録処理中に行え、またこの一部データの欠落した記録データを再生する場合にも正常に再生することが可能となる。
（実施の形態２）
次に図２、図３を用いて本発明のデジタル放送番組から記録データを調整する第二の処理方法について説明する。なお、図２において図１と同一名称、同一番号については、前期実施の形態１で説明した内容と同一であり、詳細な説明は割愛する。
図２は、図１に対し、状態を示す情報とその情報経路を記載した構成図である。なおＣＰＵ２０から指示される情報を破線でしめしている。
【００１６】
図２おいて、記録再生部１１０のなかで、記録している記録リストテーブルを保持しており、記録リストテーブルの記録状態情報をInfo_reとする。Info_reの方法は、録画番組、録画モード、コピー可能回数など、個々のコンテンツの記録情報のほか、記録全体のデータの位置所在など、消去やムーブに関する、デジタル放送受信記録再生装置全体の構成情報も含んでいる。また、蓄積デバイスの容量をInfo_Sizeとする。このInfo_Sizeは状態に変化せず、受信機に内蔵しているデバイスの総容量を示す。上記、Info_reとInfo_SizeはＣＰＵで状態認識が可能である。
【００１７】
また予約設定を含む番組記録時の設定情報をInfo_contextとする。この内容もＣＰＵ２０で管理され、各々の処理部に受信・記録するための情報が転送される。
【００１８】
以上の図２における、処理のフローを図３に示す。以下本実施の形態２の内容について説明する。
【００１９】
図３において、ＣＰＵ２０は、特定番組の記録を開始する際、Ｓ２１０へすすむ。現記録情報（Info_re）と受信機記録容量（info_size）から、どれだけの記録領域が残存しているかを算出する。この残存量をInfo_restとする。算出が完了すると、次ステップにすすむ。
【００２０】
Ｓ２２０では、Info_restと記録対象のコンテンツの録画の内容と情報量から記録可能かどうかを判定する。判定して後、記録可能か否かを検知する。記録が不可能な場合は、Ｓ２３０へすすむ。
【００２１】
Ｓ２３０では、編集する判定強度（ここでは、Info_cut）を高く設定する。これにより、ＣＭ判定の強度を細かくするなどして、より情報を減らす方向にデータを用意する。またＳ２２０で記録可能な場合には、Ｓ２３５へすすむ。
【００２２】
Ｓ２３５では、編集する判定強度を通常もしくは、編集しないでそのまま残す（図ではそのまま残す０を明示）設定を用意する。設定値を作成後次のステップにすすむ。
【００２３】
Ｓ２４０では、上記Ｓ２３０/Ｓ２３５どちらか一方で設定された内容を番組/CM判定部３へ設定する。設定後、次のステップにすすむ。
【００２４】
Ｓ２５０では、編集情報以外の該当番組の各種設定を各処理部に施した後、記録を開始する。
【００２５】
以上のように構成することにより、部分的な編集の強弱を記録媒体の残量に応じて対応することが可能である。
【００２６】
なお、ここでは、自動的に強度を変える方法を説明したが、Ｓ２２０の段階で、ユーザから設定する方法を選択することも容易に拡張可能である。
【００２７】
また、本実施の形態では、説明を簡素化するため設定強度パラメータを２〜３点にしているが、この強度パラメータ自体をユーザに設定させる方法も容易に拡張可能である。
【産業上の利用可能性】
【００２８】
デジタル放送を受信し、記録媒体に記録する受信機において、各ユーザの記録状態に応じて、記録モード以外に記録を可能にする手段や提供することができ、また再生時に記録要求により近い快適な再生環境を提供可能である。
【符号の説明】
【００２９】
１      デジタルチューナ
２      ＡＶデータ分離部
３      番組・ＣＭ判定部
４      録画データ出力部
５      記録メモリ
６      蓄積デバイスＩＦ
７      蓄積デバイス
８      再生メモリ
９      映像デコード部
１０    映像出力部
１１    映像出力端子
１２    音声デコード部
１３    音声出力部
１４    音声出力端子
２０    受信機制御装置（ＣＰＵ）
１００  デジタル放送受信記録再生装置
１１０  記録・再生装置
【図１】
2011229047.tif 000003
【図２】
2011229047.tif 000004
【図３】
2011229047.tif 000005